【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
ドキュメントを載置する書画台と、
上記書画台を撮影する撮影手段と、
上記書画台が所定の輝度分布となる照明状態で撮影した基準画像を予め記憶した記憶手段と、
上記撮影手段で撮影して得る書画台の画像と上記記憶手段に記憶されている基準画像とにより輝度の差分画像を取得する差分画像取得手段と、
上記差分画像取得手段で得た輝度の差分画像に基づいて上記撮影手段で撮影して得る書画台の画像中の少なくともドキュメント部分の輝度補正を行なう輝度補正手段と、
上記輝度補正手段で得た画像を出力する出力手段と
を具備したことを特徴とする書画カメラ装置。
【請求項２】
差分画像取得手段は、上記撮影手段で撮影して得る書画台の画像と上記記憶手段で記憶した基準画像の双方の画像パターンに基づいて位置調整を行なった後に輝度の差分画像を取得することを特徴とすることを特徴とする請求項１記載の書画カメラ装置。
【請求項３】
上記書画台が所定の輝度分布となる照明状態を、上記書画台の輝度分布が均一な照明環境下としたことを特徴とする請求項１または２に記載の書画カメラ装置。
【請求項４】
ドキュメントを載置する書画台、上記書画台を撮影する撮影部を備え、撮影により得た書画台上のドキュメントの画像を取得して出力する書画カメラ装置が外部接続される画像処理装置であって、
外部接続された上記書画カメラ装置から送られてくる、上記書画台が所定の輝度分布となる照明状態で撮影した基準画像を記憶する記憶手段と、
外部接続された書画カメラ装置からの書画台の画像と上記記憶手段に記憶されている基準画像とにより輝度の差分画像を取得する差分画像取得手段と、
上記差分画像取得手段で得た輝度の差分画像に基づいて外部接続された書画カメラ装置からの画像中の少なくともドキュメント部分の輝度補正を行なう輝度補正手段と、
上記輝度補正手段で得た画像を出力する出力手段と
を具備したことを特徴とする画像処理装置。
【請求項５】
上記記憶手段は、複数の書画カメラ装置からの基準画像を記憶し、
書画カメラ装置の外部接続に際して認証を行なう認証手段と、
上記認証手段での認証結果に応じて上記記憶手段から対応する基準画像を読出す画像選択手段と
をさらに具備したことを特徴とする請求項４記載の画像処理装置。
【請求項６】
上記認証手段は、外部接続された書画カメラ装置からの画像中に含まれている識別情報を検出し、その検出された情報に基づいて行なうことを特徴とする請求項５記載の画像処理装置。
【請求項７】
ドキュメントを載置する書画台、及び上記書画台を撮影する撮影部を備え、撮影により得た書画台上のドキュメントの画像を取得して出力する書画カメラ装置の画像処理方法であって、
上記書画台が所定の輝度分布となる照明状態で撮影した基準画像を予め記憶しておく記憶工程と、
上記撮影部で撮影して得る書画台の画像と上記記憶工程に記憶されている基準画像とにより輝度の差分画像を取得する差分画像取得工程と、
上記差分画像取得工程で得た輝度の差分画像に基づいて上記撮影部で撮影して得る書画台の画像中の少なくともドキュメント部分の輝度補正を行なう輝度補正工程と、
この輝度補正工程で得た画像を出力する出力工程と
を有したことを特徴とする画像処理方法。
【請求項８】
ドキュメントを載置する書画台、及び上記書画台を撮影する撮影部を備え、撮影により得た書画台上のドキュメントの画像を取得して出力する書画カメラ装置が外部接続される画像処理装置での画像処理方法であって、
外部接続された上記書画カメラ装置から送られてくる、上記書画台が所定の輝度分布となる照明状態で撮影した基準画像を記憶する記憶工程と、
外部接続された書画カメラ装置からの画像と上記記憶工程に記憶されている基準画像とにより輝度の差分画像を取得する差分画像取得工程と、
上記差分画像取得工程で得た輝度の差分画像に基づいて外部接続された書画カメラ装置からの画像中の少なくともドキュメント部分の輝度補正を行なう輝度補正工程と、
上記輝度補正工程で得た画像を出力する出力工程と
を有したことを特徴とする画像処理方法。
【請求項９】
ドキュメントを載置する書画台、及び上記書画台を撮影する撮影部を備え、撮影により得た書画台上のドキュメントの画像を取得して出力する書画カメラ装置が内蔵したコンピュータが実行するプログラムであって、
上記書画台が所定の輝度分布となる照明状態で撮影した基準画像を予め記憶しておく記憶ステップと、
上記撮影部で撮影して得る書画台の画像と上記記憶ステップに記憶されている基準画像とにより輝度の差分画像を取得する差分画像取得ステップと、
上記差分画像取得ステップで得た輝度の差分画像に基づいて上記撮影部で撮影して得る書画台の画像中の少なくともドキュメント部分の輝度補正を行なう輝度補正ステップと、
上記輝度補正ステップで得た画像を出力する出力ステップと
をコンピュータに実行させることを特徴とするプログラム。
【請求項１０】
ドキュメントを載置する書画台、及び上記書画台を撮影する撮影部を備え、撮影により得た書画台上のドキュメントの画像を取得して出力する書画カメラ装置が外部接続される画像処理装置が内蔵したコンピュータが実行するプログラムであって、
外部接続された上記書画カメラ装置から送られてくる、上記書画台が所定の輝度分布となる照明状態で撮影した基準画像を記憶する記憶ステップと、
外部接続された書画カメラ装置からの画像と上記記憶ステップに記憶されている基準画像とにより輝度の差分画像を取得する差分画像取得ステップと、
上記差分画像取得ステップで得た輝度の差分画像に基づいて外部接続された書画カメラ装置からの画像中の少なくともドキュメント部分の輝度補正を行なう輝度補正ステップと、
上記輝度補正ステップで得た画像を出力する出力ステップと
をコンピュータに実行させることを特徴とするプログラム。
【手続補正２】
【補正対象書類名】明細書
【補正対象項目名】０００６
【補正方法】変更
【補正の内容】
【０００６】
請求項１記載の発明は、ドキュメントを載置する書画台と、上記書画台を撮影する撮影手段と、上記書画台が所定の輝度分布となる照明状態で撮影した基準画像を予め記憶した記憶手段と、上記撮影手段で撮影して得る書画台の画像と上記記憶手段に記憶されている基準画像とにより輝度の差分画像を取得する差分画像取得手段と、上記差分画像取得手段で得た輝度の差分画像に基づいて上記撮影手段で撮影して得る書画台の画像中の少なくともドキュメント部分の輝度補正を行なう輝度補正手段と、上記輝度補正手段で得た画像を出力する出力手段とを具備したことを特徴とする。
【手続補正３】
【補正対象書類名】明細書
【補正対象項目名】０００７
【補正方法】変更
【補正の内容】
【０００７】
請求項２記載の発明は、差分画像取得手段は、上記撮影手段で撮影して得る書画台の画像と上記記憶手段で記憶した基準画像の双方の画像パターンに基づいて位置調整を行なった後に輝度の差分画像を取得することを特徴とすることを特徴とする。
請求項３記載の発明は、上記書画台が所定の輝度分布となる照明状態を、上記書画台の輝度分布が均一な照明環境下としたことを特徴とする。
【手続補正４】
【補正対象書類名】明細書
【補正対象項目名】０００８
【補正方法】変更
【補正の内容】
【０００８】
請求項４記載の発明は、ドキュメントを載置する書画台、上記書画台を撮影する撮影部を備え、撮影により得た書画台上のドキュメントの画像を取得して出力する書画カメラ装置が外部接続される画像処理装置であって、外部接続された上記書画カメラ装置から送られてくる、上記書画台が所定の輝度分布となる照明状態で撮影した基準画像を記憶する記憶手段と、外部接続された書画カメラ装置からの書画台の画像と上記記憶手段に記憶されている基準画像とにより輝度の差分画像を取得する差分画像取得手段と、上記差分画像取得手段で得た輝度の差分画像に基づいて外部接続された書画カメラ装置からの画像中の少なくともドキュメント部分の輝度補正を行なう輝度補正手段と、上記輝度補正手段で得た画像を出力する出力手段とを具備したことを特徴とする。
【手続補正５】
【補正対象書類名】明細書
【補正対象項目名】０００９
【補正方法】変更
【補正の内容】
【０００９】
請求項５記載の発明は、上記記憶手段は、複数の書画カメラ装置からの基準画像を記憶し、書画カメラ装置の外部接続に際して認証を行なう認証手段と、上記認証手段での認証結果に応じて上記記憶手段から対応する基準画像を読出す画像選択手段とをさらに具備したことを特徴とする。
【手続補正６】
【補正対象書類名】明細書
【補正対象項目名】００１０
【補正方法】変更
【補正の内容】
【００１０】
請求項６記載の発明は、上記認証手段は、外部接続された書画カメラ装置からの画像中に含まれている識別情報を検出し、その検出された情報に基づいて行なうことを特徴とする。
【手続補正７】
【補正対象書類名】明細書
【補正対象項目名】００１１
【補正方法】変更
【補正の内容】
【００１１】
請求項７記載の発明は、ドキュメントを載置する書画台、及び上記書画台を撮影する撮影部を備え、撮影により得た書画台上のドキュメントの画像を取得して出力する書画カメラ装置の画像処理方法であって、上記書画台が所定の輝度分布となる照明状態で撮影した基準画像を予め記憶しておく記憶工程と、上記撮影部で撮影して得る書画台の画像と上記記憶工程に記憶されている基準画像とにより輝度の差分画像を取得する差分画像取得工程と、上記差分画像取得工程で得た輝度の差分画像に基づいて上記撮影部で撮影して得る書画台の画像中の少なくともドキュメント部分の輝度補正を行なう輝度補正工程と、この輝度補正工程で得た画像を出力する出力工程とを有したことを特徴とする。
【手続補正８】
【補正対象書類名】明細書
【補正対象項目名】００１２
【補正方法】変更
【補正の内容】
【００１２】
請求項８記載の発明は、ドキュメントを載置する書画台、及び上記書画台を撮影する撮影部を備え、撮影により得た書画台上のドキュメントの画像を取得して出力する書画カメラ装置が外部接続される画像処理装置での画像処理方法であって、外部接続された上記書画カメラ装置から送られてくる、上記書画台が所定の輝度分布となる照明状態で撮影した基準画像を記憶する記憶工程と、外部接続された書画カメラ装置からの画像と上記記憶工程に記憶されている基準画像とにより輝度の差分画像を取得する差分画像取得工程と、上記差分画像取得工程で得た輝度の差分画像に基づいて外部接続された書画カメラ装置からの画像中の少なくともドキュメント部分の輝度補正を行なう輝度補正工程と、上記輝度補正工程で得た画像を出力する出力工程とを有したことを特徴とする。
【手続補正９】
【補正対象書類名】明細書
【補正対象項目名】００１３
【補正方法】変更
【補正の内容】
【００１３】
請求項９記載の発明は、ドキュメントを載置する書画台、及び上記書画台を撮影する撮影部を備え、撮影により得た書画台上のドキュメントの画像を取得して出力する書画カメラ装置が内蔵したコンピュータが実行するプログラムであって、上記書画台が所定の輝度分布となる照明状態で撮影した基準画像を予め記憶しておく記憶ステップと、上記撮影部で撮影して得る書画台の画像と上記記憶ステップに記憶されている基準画像とにより輝度の差分画像を取得する差分画像取得ステップと、上記差分画像取得ステップで得た輝度の差分画像に基づいて上記撮影部で撮影して得る書画台の画像中の少なくともドキュメント部分の輝度補正を行なう輝度補正ステップと、上記輝度補正ステップで得た画像を出力する出力ステップとをコンピュータに実行させることを特徴とする。
【手続補正１０】
【補正対象書類名】明細書
【補正対象項目名】００１４
【補正方法】変更
【補正の内容】
【００１４】
請求項１０記載の発明は、ドキュメントを載置する書画台、及び上記書画台を撮影する撮影部を備え、撮影により得た書画台上のドキュメントの画像を取得して出力する書画カメラ装置が外部接続される画像処理装置が内蔵したコンピュータが実行するプログラムであって、外部接続された上記書画カメラ装置から送られてくる、上記書画台が所定の輝度分布となる照明状態で撮影した基準画像を記憶する記憶ステップと、外部接続された書画カメラ装置からの画像と上記記憶ステップに記憶されている基準画像とにより輝度の差分画像を取得する差分画像取得ステップと、上記差分画像取得ステップで得た輝度の差分画像に基づいて外部接続された書画カメラ装置からの画像中の少なくともドキュメント部分の輝度補正を行なう輝度補正ステップと、上記輝度補正ステップで得た画像を出力する出力ステップとをコンピュータに実行させることを特徴とする。